(57)【要約】【課題】  動物の健康維持を促進して、医療費用の負担の軽減を図ることができる動物医療提供システムを提供する。【解決手段】  動物医療提供システムを、動物の種類に適合した医療内容が記憶された医療内容テーブルと、医療を提供する動物に関する動物情報と、その動物に提供した医療に関する医療内容履歴情報とを有して構成した。そして、動物情報と医療内容履歴情報とから医療内容テーブルを検索してその動物に次に提供する医療を決定し、計画的に医療を提供する。また、この動物医療提供システムに代価算出手段を備え、この動物医療提供システムに加入している期間が長くなるほど治療の代価を割り引く割合を大きくする。【選択図】      図２
2006209719.tif 000002
【特許請求の範囲】
【請求項１】
動物に医療を提供するシステムであって、
動物の種類に適合した医療内容が記憶された医療内容テーブルと、
医療を提供する動物に関する動物情報と、
その動物に提供した医療に関する医療内容履歴情報とを有し、
前記動物情報と前記医療内容履歴情報とから前記医療内容テーブルを検索してその動物に次に提供する医療を決定することを特徴とする動物医療提供システム。
【請求項２】
前記医療内容テーブルに記憶された医療内容が、予防的な医療を含むことを特徴とする請求項１に記載の動物医療提供システム。
【請求項３】
前記医療内容テーブルに治療の代価を算出するための治療代価情報が記憶され、
前記医療内容テーブルを検索して治療の代価を算出する代価算出手段を備え、
前記代価算出手段が前記動物情報からこの動物医療提供システムに加入している期間を算出し、加入期間が長くなるほど前記治療代価情報に基づく治療の代価を割り引く割合を大きくすることを特徴とする請求項１に記載の動物医療提供システム。
【発明の詳細な説明】
【技術分野】
【０００１】  この発明は、動物に医療を提供するシステムに関し、特に計画的に医療を提供する動物医療提供システムに関する。
【背景技術】
【０００２】  従来、イヌやネコなどの動物、いわゆるペットに対する医療は、主に病気やけがをした場合にそれを治療する方法で行われている。しかし、多くの動物は、発病しても発症するのが遅いために、症状が重くなってから急いで治療を受ける場合が多い。また、動物に対する救急医療体制は、確立されておらず極めて脆弱であり、それを改善するために、動物病院の情報とペットを動物病院まで搬送する搬送車の情報とを記録した救急センターを設立して、この救急センターが急患の連絡があった場合に、動物病院と搬送車とを紹介する動物救急医療システムが提案されている（例えば、特許文献１参照）。【０００３】  また、動物に対する医療費用は、人に対する医療費用と異なり、全額を飼主が負担している。そのために、医療費用の支払いを負担に感じる飼主も多く、早期治療の妨げになっている。医療費用の軽減については、動物食品会社が、商品に付したラベルと引き換えに医療費用の一部を飼主に払い戻す動物医療費用軽減システムが提案されている（例えば、特許文献２参照）。【０００４】  さらに、人の健康保険や医療保険などのように、医療費用の割引や医療費用の払い戻しを行う、ペット保険と呼ばれるサービスが行われている。このペット保険は、飼主が入会金と会費とをあらかじめ支払うことで、病気やけがになった場合の医療費用の負担に備えるものである。
【特許文献１】  特開２００２−３４２４６１号公報（段落０００４−０００６）
【特許文献２】  特開平１０−９１６８８号公報（段落０００６）
【発明の開示】
【発明が解決しようとする課題】
【０００５】  しかしながら、前記動物救急医療システムでは、症状が重くなってから急いで治療を受けることに変わりがない。また、前記動物医療費用軽減システムでは、ラベルがある程度集まった場合にのみ、一時的に医療費用の負担が軽減されるにすぎない。さらに、前記ペット保険では、ペット保険に加入しても病気やけがの発生を減らすことができないために、病気やけがになった場合の医療費用の負担を軽減できても、あらかじめ支払う入会金と会費とを考慮すると、必ずしも医療費用の負担が軽減されるものではない。【０００６】  そこで、この発明では、前記した問題を解決し、計画的に医療を提供することによって、動物の健康維持を促進し、医療費用の負担の軽減を図ることができる動物医療提供システムを提供することを目的とする。
【課題を解決するための手段】
【０００７】  前記課題を解決するため、請求項１に係る発明では、動物に医療を提供するシステムを、動物の種類に適合した医療内容が記憶された医療内容テーブルと、医療を提供する動物に関する動物情報と、その動物に提供した医療に関する医療内容履歴情報とを有して構成した。そして、動物情報と医療内容履歴情報とから医療内容テーブルを検索してその動物に次に提供する医療を決定するように構成した。【０００８】  請求項２に係る発明では、医療内容テーブルに記憶された医療内容が、予防的な医療を含むように構成した。【０００９】  請求項３に係る発明では、医療内容テーブルに治療の代価を算出するための治療代価情報を記憶し、医療内容テーブルを検索して治療の代価を算出する代価算出手段を備えるように構成した。そして、この代価算出手段が、動物情報からこの動物医療提供システムに加入している期間を算出し、加入期間が長くなるほど治療代価情報に基づく治療の代価を割り引く割合を大きくするように構成した。【００１０】  なお、ここで医療とは、医術によって行なう全ての行為を示し、治療とは、医療の中で病気やけがなどを治すために行う行為をいう。
【発明の効果】
【００１１】  請求項１に係る発明によれば、計画的に医療を提供することができるので、発病を防げると共に、発病しても早期に治療を行うことができる。【００１２】  請求項２に係る発明によれば、予防的な医療を計画的に提供することができるので、請求項１に係る発明よりも効果的に発病を防ぐことができる。そして、動物の健康維持を促進することができるので、医療費用の負担の軽減を図ることができる。【００１３】  請求項３に係る発明によれば、動物医療提供システムに加入している期間が長くなるほど病気やけがなどの治療の代価、いわゆる治療費用を割り引く割合を大きくすることができるので、動物の健康維持に熱心な飼主に対して治療費用の負担を軽減することができる。なお、動物病院は、このシステムによって、動物の病歴や健康状態などの病気やけがなどを治療するのに役に立つ情報を集めることができるので、従来の何ら情報のない状態で行う治療に比べて、効率的に治療を行うことができる。そのために、従来に比べて治療費用を低く抑えることができる。そして、このシステムに加入した期間が長いほど、より多くの情報を集めることができるので、より効率的に治療を行うことができる。そのために、このシステムに加入している期間が長くなるほど、治療費用を割り引く割合を大きくすることができる。
【発明を実施するための最良の形態】
【００１４】  次に、この発明の実施形態について、適宜図面を参照しながら詳細に説明する。この発明に係る動物医療提供システムを実施するために主に必要なものは、医療を提供する動物に関する動物情報と、その動物に提供した医療に関する医療内容履歴情報と、動物の種類に適合した医療内容が記憶された医療内容テーブルとである。【００１５】  請求項３に係る動物医療提供システムでは、医療内容履歴情報にその動物に提供した医療のうち、特に病気やけがなどの治療に関する情報が含まれ、医療内容テーブルに病気やけがの治療の代価を算出するための治療代価情報が含まれる。【００１６】  動物情報とは、医療を提供する動物に関する情報のうちで、特にこの発明に係る動物医療提供システムによって医療を提供するために必要な情報をいい、動物の種類と入会日とが最低限の情報である。その他にも、この動物情報には、動物の生年月日、年齢、性別、体重、名前、病歴、薬歴、食事の内容や回数などの生活状況、室内飼いか室外飼いかなどの飼育環境などの情報が含まれる。さらに、この動物情報には、飼主の情報、例えば、飼主の氏名、住所、電話番号などの情報も含まれる。飼主は、入会金と年会費とを支払い動物医療提供システムに入会する。ここでは、飼主は、動物一匹ごとに入会手続きを行い、動物の種類に応じてあらかじめ定めた入会金と年会費とを支払う。【００１７】  医療内容履歴情報とは、その動物に提供した医療に関する情報をいうが、特に動物の種類に応じて必要な医療内容を定めた後記する医療内容テーブルの中から、いずれの医療を行ったかの情報をいう。ここでは、この医療内容履歴情報は、医療項目名と実施日とが最低限の情報である。その他にも、この医療内容履歴情報には、その医療の結果や体重の変化など動物の健康を管理するために必要な情報が含まれる。【００１８】  請求項３に係る動物医療提供システムでは、この医療内容履歴情報に病気やけがなどの治療に関する情報を含む。この治療に関する情報とは、処置や投薬の内容および入院や往診の有無などの治療の内容、ならびにその治療後の経過などであり、治療の代価を算出するために必要な情報や、今後の治療に役に立つ情報である。【００１９】  医療内容テーブルとは、動物の種類に適合した医療内容を定めたものをいい、ここでは、予防的な医療内容を含めたものである。この医療内容テーブルは、動物の種類ごとに、一定期間に行うべき医療内容を定めており、具体的には医療項目と、その医療項目を実施すべき回数と時期とを定めている。ここでは、医療内容テーブルは、一年間に行うべき医療内容について定めている。また、動物の種類は、イヌと、ネコと、ウサギと、フェレットとである。なお、動物の種類は、これらの種類に限られるものではなく、これらの種類以外にも医療を提供する頭数が増えた動物については、医療内容テーブルに追加することができる。【００２０】  ここで、イヌを例にして医療内容を説明する。イヌの医療項目は、フィラリア予防と、狂犬病予防注射と、混合ワクチン接種と、イヌドックと、歯石除去と、ノミ・ダニ予防とである。なお、イヌドックとは、胸・腹部レントゲン検査と、心臓超音波検査と、腹部超音波検査と、血液検査と、心電図検査と、尿���査と、便検査とを含むものである。そして、これらの医療項目を行う時期や回数については、これらの医療項目うちフィラリア予防と狂犬病予防注射と混合ワクチン接種は、法律などで定められた時期や回数に従って行う。また、それら以外の医療項目は、イヌドックと歯石除去とを９月から２月中に１回行い、ノミ・ダニ予防を毎月１回行うものとする。なお、イヌの医療内容は、これらの医療項目に限られるものではなく、この発明の効果である動物の健康維持の促進と医療費用の負担軽減を図れるように適宜変更することができる。【００２１】  請求項３に係る動物医療提供システムでは、この医療内容テーブルに、病気やけがなどの治療の代価を算出するための治療代価情報を含む。この治療代価情報は、動物病院で一般に使用されているものであり、処置や投薬の内容および入院や往診の有無などの治療の内容に対応する代価を定めている。そして、この治療代価情報によって治療費用を算出している。【００２２】  図１は、この発明の動物医療提供システムをコンピュータで実施する場合の概念を示した図である。図１に示すように、この実施形態に係る動物医療提供システムに利用されるものは、入力装置１と、記憶装置２と、演算装置３と、出力装置４とである。【００２３】  入力装置１は、医療を提供する動物に関する動物情報と、その動物に提供した医療に関する医療内容履歴情報とを入力する装置である。ここでは、入力装置１を１つ設けているが、複数設けてもよい。例えば、動物病院内の受付と診療室に設置したパソコンのキーボードおよび医療を行う検査装置の端末から入力するように構成してもよい。なお、請求項３に係る動物医療提供システムでは、その動物に行った病気やけがなどの治療に関する情報も入力装置１から入力する。【００２４】  記憶装置２は、医療内容テーブルを記憶する装置である。記憶装置２は、医療内容テーブル以外にも、入力装置１で入力された動物情報と医療内容履歴情報とを記憶している。なお、請求項３に係る動物医療提供システムでは、入力装置１で入力されたその動物に行った病気やけがなどの治療に関する情報も記憶している。【００２５】  演算装置３は、入力装置１で入力された動物情報によって記憶装置２に記憶されている医療内容テーブルからその動物に適合した医療内容を検索し、検索した医療内容と入力装置１で入力された医療内容履歴情報とからその動物に次に提供する医療を決定する装置である。【００２６】  出力装置４は、演算装置３で決定したその動物に次に提供する医療を出力する装置である。ここでは、出力装置４は、動物病院内にあるコンピータのディスプレイであり、獣医師に対してその動物に次に提供する医療を知らせるものである。獣医師は、このディスプレイを見ながら、その動物に次に提供する医療項目とその医療項目を行う時期を飼主に伝えることができる。また、飼主に伝える手段は、前記のように獣医師が通院時に知らせてもよく、また電話やはがきで知らせてもよい。さらに、動物病院のコンピータと、会員である飼主のコンピータとをネットワークでつないで、ネットワーク回線で飼主に知らせるようにしてもよい。【００２７】  請求項３に係る動物医療提供システムでは、演算装置３に治療の代��を算出する代価算出手段を備える。代価算出手段は、医療内容テーブルに記憶された治療の代価を算出するための治療代価情報に基づいて、病気やけがなどの治療の代価を算出する手段をいう。この代価算出手段は、動物医療提供システムに加入している期間に応じて治療代価情報に基づく治療の代価を割り引くように構成したものである。そして、この代価算出手段は、入力装置１で入力された動物情報によって、その動物が動物医療提供システムに加入している期間を算出し、加入期間が長くなるほど、一般に用いられている治療代価情報に基づく治療の代価を割り引く割合を大きくするように構成されている。【００２８】  以上のように構成された動物医療提供システムにおいて、演算装置３では、図２に示す工程でその動物に次に提供する医療を決定することができる。図２は、演算装置３で行われる工程を示したフローチャート図である。【００２９】  演算装置３では、動物情報取得工程Ｓ１と、医療内容テーブル検索工程Ｓ２と、医療内容履歴情報取得工程Ｓ３と、医療内容演算工程Ｓ４とが行われる。【００３０】  動物情報取得工程Ｓ１では、入力装置１（図１参照）から、医療を提供する動物に関する動物情報を取得する。動物情報とは、医療を提供するために必要な情報をいうが、ここでは、最低限の情報である動物の種類と入会日の情報を取得する。そして、医療内容テーブル検索工程Ｓ２に進む。【００３１】  医療内容テーブル検索工程Ｓ２では、記憶装置２（図１参照）にあらかじめ記憶されている医療内容テーブルの中から、その動物の種類に適合した医療内容を検索する。そして、医療内容履歴情報取得工程Ｓ３に進む。【００３２】  医療内容履歴情報取得工程Ｓ３では、入力装置１（図１参照）から、その動物に提供した医療に関する医療内容履歴情報を取得する。この医療内容履歴情報とは、医療内容テーブルの中から、いずれの医療を行ったかの情報をいうが、ここでは、最低限の情報であるその動物に提供した医療項目名とその実施日の情報を取得する。そして、医療内容演算工程Ｓ４に進む。【００３３】  医療内容演算工程Ｓ４では、その動物に次に提供すべき医療を決定する。この医療内容演算工程Ｓ４は、医療内容テーブルに定めたその動物の種類に適合した複数の医療項目の中から、まだ実施していない医療項目を識別し、その医療項目の中で最も間近に実施すべき医療項目を導き出す工程である。具体的には、複数の医療項目の中の一つの医療項目（ここでは、第１の医療項目という）について実施の有無を識別し（Ｓ４ａ）、第１の医療項目を実施している場合（Ｙｅｓ）には、次の医療項目に進む。一方、第１の医療項目を実施していない場合（Ｎｏ）には、この医療内容演算工程Ｓ４を行っている日から、あらかじめ定めた第１の医療項目を行うべき日までの日数を演算し（Ｓ４ｂ）、次の医療項目に進む。これらの工程を医療内容テーブルに定めたその動物の種類に適合した全ての医療項目について行う。そして、複数の医療項目の中で医療を行うべき日までの日数が最も少ない医療項目を導き出し（Ｓ４ｃ）、演算装置３（図１参照）で行う工程を終了する。【００３４】  請求項３に係る動物医療提供システムでは、演算装置３（図１参照）に、医療を提供する動物に関する動物情報からこの動物医療提供システムに加入している期間を算出し、この加入期間が長くなるほど治療の代価を割り引く割合を大きくする代価算出工程を備える。図３は、演算装置３（図１参照）で行われる代価算出工程を示したフローチャート図である。【００３５】  代価算出工程では、動物情報取得工程Ｓ１１と、医療内容テーブル検索工程Ｓ１２と、医療内容履歴情報取得工程Ｓ１３と、代価割引工程Ｓ１４とが行われる。【００３６】  動物情報取得工程Ｓ１１では、入力装置１（図１参照）から、医療を提供する動物に関する動物情報を取得する。動物情報とは、病歴や健康状態などの病気やけがなどの治療を行うために必要な情報をいうが、ここでは、最低限の情報である動物の種類と入会日の情報を取得する。そして、医療内容テーブル検索工程Ｓ１２に進む。【００３７】  医療内容テーブル検索工程Ｓ１２では、記憶装置２（図１参照）にあらかじめ記憶されている医療内容テーブルの中から、その動物の種類に対応する治療代価情報を検索する。そして、医療内容履歴情報取得工程Ｓ１３に進む。【００３８】  医療内容履歴情報取得工程Ｓ１３では、入力装置１（図１参照）から、その動物に提供した治療に関する情報を取得する。そして、代価割引工程Ｓ１４に進む。【００３９】  代価割引工程Ｓ１４は、医療内容テーブル検索工程Ｓ１２で検索した治療代価情報に基づく治療の代価を割り引く工程である。具体的には、医療内容履歴情報取得工程Ｓ１３で取得したその動物に提供した治療に関する情報と、医療内容テーブル検索工程Ｓ１２で検索したその動物の種類に対応する治療代価情報とから、治療代価情報に基づく治療の代価を算出する（Ｓ１４ａ）。【００４０】  そして、動物情報取得工程Ｓ１１で取得した動物情報からその動物がこの動物医療提供システムに加入している期間を演算し、求めた加入期間が５年未満の場合（Ｙｅｓ）には、算出した治療代価情報に基づく治療の代価を５０％割引（Ｓ１４ｃ）、治療の代価を算出し（Ｓ１４ｃ）、代価算出工程を終了する。【００４１】  一方、その動物がこの動物医療提供システムに加入している期間が５年以上の場合（Ｎｏ）には、加入期間が５年以上１０年未満であるか判断され（Ｓ１４ｄ）、加入期間が５年以上１０年未満の場合（Ｙｅｓ）には、算出した治療代価情報に基づく治療の代価を６０％割り引く（Ｓ１４ｅ）。ここでは、割引率を、加入期間が５年未満の場合に５０％に設定し、５年以上１０年未満の場合に６０％に設定し、１０年以上１５年未満の場合に７０％に設定し、１５年以上２０年未満の場合に８０％に設定し、２０年以上の場合に９０％に設定している。【００４２】  ここでは、代価の割引率を、５年を単位にして変えるようにしているが、１年を単位にして変えるなど変更することができる。また、代価の割引率も実施形態に限定されるものではなく、治療の効率の程度を考慮して変更することができる。さらに、代価の割引期間の単位や代価の割引率を、動物の寿命などを考慮して動物の種類ごとに変えるようにしても構わない。
【図面の簡単な説明】
【００４３】
【図１】  実施形態に係る動物医療提供システムをコンピュータで実施する場合の概念を示した図である。
【図２】  実施形態に係る演算装置で行われる工程を示したフローチャート図である。
【図３】  他の実施形態に係る演算装置で行われる工程を示したフローチャート図である。
【符号の説明】
【００４４】  Ｓ１    動物情報取得工程
Ｓ２    医療内容テーブル検索工程
Ｓ３    医療内容履歴情報取得工程
Ｓ４    医療内容演算工程
Ｓ１１  動物情報取得工程
Ｓ１２  医療内容テーブル検索工程
Ｓ１３  医療内容履歴情報取得工程
Ｓ１４  代価割引工程
【図１】
2006209719.tif 000003
【図２】
2006209719.tif 000004
【図３】
2006209719.tif 000005